(57)【要約】【課題】通信異常等になっても、運転動作を継続等できるようにし、システム全体の信頼性を高めることができる冷凍・冷蔵システムを得る。【解決手段】冷凍機１００の制御を行う冷凍機側コントローラ１１０と、クーラ２００の制御を行うクーラ側コントローラ２１０と、システム内の管理を行うための集中管理制御装置３００とを通信可能とし、集中管理制御装置３００は、制御目的に合わせた制御条件等を設定するための特殊機能制御の設定に係るデータを作成する管理制御手段３２１と、通信を行うための管理側通信手段３２２とを備え、また、冷凍機側コントローラ１１０及びクーラ側コントローラ２１０は、規定制御の設定に係るデータを記憶する記憶手段１１３、２１３をそれぞれ有し、特殊制御の設定に係るデータが得られないものと判断すると、記憶手段１１３、２１３が記憶する規定制御の設定に基づいて制御を行う。【選択図】図１
2012007756.tif 000002
【特許請求の範囲】
【請求項１】
１又は複数の冷凍機の制御をそれぞれ行う１又は複数の冷凍機側制御装置と、１又は複数の冷却装置の制御をそれぞれ行う１又は複数のクーラ側制御装置と、システム内の前記冷凍機及び前記冷却装置の管理を行うための集中管理制御装置とを通信可能とし、
前記集中管理制御装置は、前記冷凍機及び前記冷却装置に対して制御目的に合わせた制御条件及び／又は運転スケジュールにより制御を行うための特殊機能制御の設定に係るデータを作成する管理制御手段と、前記冷凍機側制御装置及び前記クーラ側制御装置との通信を行うための管理通信手段とを備え、
また、システム内の前記冷凍機側制御装置及び前記クーラ側制御装置は、あらかじめ定めた規定制御の設定に係るデータを記憶する装置側記憶手段をそれぞれ有し、前記特殊機能制御の設定に係るデータを含む信号を受信できないものと判断すると、前記装置側記憶手段が記憶する前記規定制御の設定に基づいて、制御対象の前記冷凍機又は前記冷却装置の制御を行うことを特徴とする冷凍・冷蔵システム。
【請求項２】
前記冷凍機側制御装置及び前記クーラ側制御装置は、
前記集中管理制御装置と通信できない間、制御対象の前記冷凍機又は前記冷却装置の運転に係るデータを前記装置側記憶手段に記憶させる処理を行い、
通信が復旧したものと判断すると、記憶しておいた前記運転に係るデータを含む信号を前記集中管理制御装置に送ることを特徴とする請求項１記載の冷凍・冷蔵システム。
【請求項３】
前記集中管理制御装置は、
操作指示が入力される指示入力手段及び表示を行うための表示手段を有する操作表示部と、
前記管理制御手段及び前記管理通信手段を有する伝送変換部と
を通信線で接続して構成することを特徴とする請求項１又は２に記載の冷凍・冷蔵システム。
【請求項４】
前記操作表示部は、前記冷凍機及び前記冷却装置に係る状態を表すデータに関し、項目毎にデータを格納する領域をあらかじめ定めた操作表示記憶手段をさらに備え、
前記伝送変換部は、前記操作表示部から前記冷凍機又は前記冷却装置の状態を表すデータを要求されると、要求に係る前記冷凍機又は前記冷却装置に係る前記状態を表すデータと前記格納領域とを関連付けた信号を送信することを特徴とする請求項３に記載の冷凍・冷蔵システム。
【請求項５】
前記特殊機能制御は、省エネルギ制御機能、快適制御機能及び保守・サービス機能のうち、少なくとも１以上の制御であり、前記管理制御手段は機構させる制御に基づいて、特殊機能制御の設定に係るデータを作成することを特徴とする請求項１〜４のいずれかに記載の冷凍・冷蔵システム。
【発明の詳細な説明】
【技術分野】
【０００１】
この発明は１又は複数の冷凍機（コンデンシングユニット）、１又は複数のユニットクーラ等との間を通信可能に接続して低温帯における冷却制御を行う冷凍・冷蔵システムに関するものである。
【背景技術】
【０００２】
例えば、冷凍サイクルを利用した冷凍サイクル装置では、基本的に、圧縮機、凝縮器（熱交換器）、絞り装置（膨張弁）及び蒸発器（熱交換器）が配管接続され、冷媒を循環させる冷媒回路を構成している。そして、冷媒が、蒸発、凝縮時に、熱交換対象となる空気から吸熱、放熱することを利用し、管内の圧力を変化させながら冷却動作などを行っている。
【０００３】
ここで、冷凍庫内に配置されるユニットクーラ、ショーケース等の冷却装置（以下、クーラという）と冷凍機とを配管接続して構成する冷凍・冷蔵システムでは、例えば冷凍機は圧縮機、凝縮器を有し、クーラは膨張弁、蒸発器を有して冷媒回路を構成している。
【０００４】
このような冷凍・冷蔵システムでは、例えば、システム内のクーラと冷凍機とを、各種信号の送受信（通信）ができるように通信線又は無線等によって通信接続している。また、冷凍機、クーラがそれぞれ複数台接続しているような場合には、また、上位コントローラとなる集中管理制御装置をさらに通信接続して、システム内の冷凍機、クーラと通信を行えるようにしていることもある。そして、集中管理制御装置は、各クーラ、各冷凍機からの信号に含まれる運転状態に関するデータに基づいて、各クーラ、各冷凍機の動作制御（スケジュールによる管理等も含む）を行っている（例えば特許文献１参照）。
【先行技術文献】
【特許文献】
【０００５】
【特許文献１】特開２００９−２３６３４２号公報（図１）
【発明の概要】
【発明が解決しようとする課題】
【０００６】
上記のような冷凍・冷蔵システムでは、特許文献１にも示すように、空気調和装置のような、環境等に対応した多様な制御を行うことができなかった。これは、冷凍・冷蔵システムでは、例えば冷却対象となる物品の品質保持を損なわない運転を行う制御が優先されるからである。しかしながら、品質保持をはかりつつ、多様な制御を行えるようにできる要求は多い。また、使用温度帯域が広く、現地での初期設定（微調整）を必要とするが運用開始後に設定の変更を行うことが難しい。
【０００７】
そして、多様な制御を実現する際、基本的に、各クーラ、各冷凍機は、他の装置（例えば集中管理制御装置）と通信によって連携して運転を行うことになる。このような場合に、例えば、伝送線の断線等により通信ができなくなると一部が制御不能となり、運転ができなくなってしまう。このため、場合によっては、冷凍負荷に対する能力の供給を長時間行うことができなくなるような場合もあった。
【０００８】
この発明は、上記のような課題を解決するためになされたもので、目的に合わせた制御を行えるようにし、また、例えば通信異常等になっても、運転動作を継続等により、システムの信頼性を高めることができる冷凍・冷蔵システムを得ることを目的とする。
【課題を解決するための手段】
【０００９】
このため、本発明に係る冷凍・冷蔵システムは、１又は複数の冷凍機の制御をそれぞれ行う１又は複数の冷凍機側制御装置と、１又は複数の冷却装置の制御をそれぞれ行う１又は複数のクーラ側制御装置と、システム内の冷凍機及び冷却装置の管理を行うための集中管理制御装置とを通信可能とし、集中管理制御装置は、冷凍機及び冷却装置に対して制御目的に合わせた制御条件及び／又は運転スケジュールにより制御を行うための特殊機能制御の設定に係るデータを作成する管理制御手段と、冷凍機側制御装置及びクーラ側制御装置との通信を行うための管理通信手段とを備え、また、システム内の冷凍機側制御装置及びクーラ側制御装置は、あらかじめ定めた規定制御機能の設定に係るデータを記憶する装置側記憶手段をそれぞれ有し、特殊機能制御の設定に係るデータを含む信号を受信できないものと判断すると、装置側記憶手段が記憶する規定制御機能の設定に基づいて、制御対象の冷凍機又は冷却装置の制御を行う。
【発明の効果】
【００１０】
この発明によれば、例えば、集中管理制御装置が、通信により冷凍機側制御装置及びクーラ側制御装置に作成した特殊機能制御の設定に係るデータを含む信号を送って制御を行うようにしたので、制御の目的に合わせて、システム全体でより最適な制御を行うことができる。そして、このとき、集中管理制御装置と通信できず、特殊機能制御の設定データを含む信号が受信できない場合には、規定制御機能の設定に基づいて、制御対象の冷凍機又は冷却装置の制御を行うようにしたので、冷媒回路ではない通信系の異常等により冷凍機又は冷却装置が停止することなく、継続して運転を行い、冷凍負荷に関わらず必要な能力を供給することができる。このため、冷却に係る物品の温度が上昇して質を低下させてしまうことを防ぐ等、システムの信頼性を高めることができる。
【図面の簡単な説明】
【００１１】
【図１】実施の形態１に係る冷凍・冷蔵システムの構成を表す図である。
【図２】冷凍機側コントローラ１１０等の構成を表す図である。
【図３】運転スケジュールの一例を表す図である。
【図４】集中管理制御装置３００の構成を表す図である。
【図５】本実施の形態の制御に係る動作のフローチャートを表す図である。
【図６】実施の形態２に係る状態データに係る通信を説明するための図である。
【発明を実施するための形態】
【００１２】
実施の形態１．
図１は本発明の実施の形態１に係る冷凍・冷蔵システムの構成を表す図である。図１のシステムにおける冷媒回路に係る系統については、例えば圧縮機、凝縮器を有する冷凍機１００Ａと流量調整手段（膨張弁）、蒸発器を有するクーラ２００Ａとを冷媒配管７００Ａにより接続して冷媒回路（冷凍サイクル）を構成している。同様に、冷凍機１００Ｂとクーラ２００Ｂとを冷媒配管７００Ｂにより接続し、冷媒回路を構成している。ここで、図１では冷媒配管７００Ａ、７００Ｂを１つの線で示しているが、冷媒を循環させるために少なくとも２本の管で接続している。以下、特に区別する必要がない場合は、同種の機器等について、添え字を省略した記載により説明を行う場合がある。
【００１３】
次に、本実施の形態の冷凍・冷蔵システムにおける通信系統について説明する。図１に示すように、本実施の形態のシステムでは、冷凍機１００、クーラ２００について、それぞれ制御装置となる冷凍機側コントローラ１１０、クーラ側コントローラ２１０を設けている。そして、冷凍機側コントローラ１１０とクーラ側コントローラ２１０とを伝送線６００で通信可能に接続している。また、各冷凍機側コントローラ１１０、集中管理制御装置３００を集中伝送線５００に接続して通信可能としている。ここで、本実施の形態における集中伝送線５００、伝送線６００は多重伝送線であるものとする。また、冷凍機２００はハブ等の中継装置により集中伝送線５００と伝送線６００とをつなぐことで、冷凍機側コントローラ１１０と同様に、クーラ側コントローラ２１０と集中管理制御装置３００とが直接的に通信を行うことができる。
【００１４】
図２は冷凍機側コントローラ１１０及びクーラ側コントローラ２１０の構成を表す図である。図２（ａ）に示す冷凍機側コントローラ１１０は、冷凍機側制御手段１１１、冷凍機側通信手段１１２、冷凍機側記憶手段１１３を備えている。冷凍機側通信手段１１２は、集中伝送線５００を介して集中管理制御装置３００と各種信号を通信し、また、伝送線６００を介してクーラ側コントローラ２１０と各種信号を通信するためのインターフェースとなる手段である。
【００１５】
図３は運転スケジュールの一例を表す図である。冷凍機側記憶手段１１３は、冷凍機側制御手段１１１が処理を行うために必要なデータ、処理結果のデータ等を記憶する。特に、冷凍機側制御手段１１１が制御を行う場合の運転条件、運転スケジュール等（以下、運転条件等という）に関して、本実施の形態では、規定制御条件記憶部１１３Ａ及び特殊制御条件記憶部１１３Ｂを有している。規定制御条件記憶部１１３Ａは、あらかじめ定めた規定制御機能設定データを記憶する。規定制御機能設定データは、例えば、設置時等に設置場所において維持しようとする倉庫内の温度帯等に基づいて集中管理制御装置３００において作成（システム毎に微調整）し、集中伝送線５００を介して受信した信号から記憶させるようにする。このとき、季節、時間帯等に関係なく、どのような環境においても、冷却対象となる物品の品質が維持ができるような設定にする。
【００１６】
また、特殊制御条件記憶部１１３Ｂは、運転中等の通信により、例えば所定時間毎に送られる信号中の特殊制御機能設定データを記憶する。本実施の形態では、集中管理制御装置３００から信号が送られるものとする。冷凍機１００に対して設定される運転条件等としては、例えば冷媒回路における低圧側の目標とする圧力（目標低圧圧力）に係る設定等がある。また、例えば集中管理制御装置３００に対して運転状態等の管理に係るデータ（以下、運転データという）を含む信号を送信することができない場合に、例えば一時的に運転データを記憶させておくための運転データ記憶部１１３Ｃを有している。
【００１７】
ここで、特殊機能設定とは、制御目的に合わせた設定をいうものとする。例えば省エネルギをはかって効率的な制御を行うための省エネルギ制御機能、物品等を所定の温度で制御するための快適制御機能、保守等を行う際のデータ収集を行うための運転制御に係る保守・サービス制御機能等に関する設定となる。また、運転データとは、集中管理制御装置３００が収集する冷凍機１００、クーラ２００に関するデータである。例えば、通信異常の履歴、所定単位時間（例えば１日）における運転時間、圧縮機の発停回数、圧縮機の最大、最小、平均駆動周波数、累積の運転時間、圧縮機の発停回数、圧縮機の最大、最小、平均駆動周波数等である。
【００１８】
冷凍機側制御手段１１１は、冷凍機１００が有している圧縮機、凝縮器用のファン等の冷凍、冷蔵を行うための機器（図示せず）の制御に係る処理を行い、配管接続しているクーラ２００に対する能力供給を行わせる。本実施の形態では、冷凍機側制御手段１１１は、冷凍機側記憶手段１１３が記憶している設定データによって定められた運転条件等に基づいて機器の制御を行うようにする。
【００１９】
例えば、冷凍機側制御手段１１１は、集中管理制御装置３００側から特殊制御機能設定データに係る信号が送信されている間は、特殊制御機能設定データに基づく処理を行う。また、集中伝送線５００の断線等により集中管理制御装置３００からの特殊制御機能設定データに係る信号を冷凍機側通信手段１１２が受信できなかったものと判断すると、規定制御条件記憶部１１３Ａが記憶する規定制御機能設定データに基づいて処理を行う。このため、独立して処理を行うことができる。その間、運転データを運転データ記憶部１１３Ｃに記憶させる。そして、集中管理制御装置３００との間の通信が可能になったものと判断すると、運転データ記憶部１１３Ｃが記憶する運転データを含む信号を冷凍機側通信手段１１２に送信させる。ここで、運転データ記憶部１１３Ｃには時系列に運転データを記憶しておき、記憶容量が不足すると、時間的に古い運転データを消去して新たな運転データを記憶させていくようにする。
【００２０】
また、図２（ｂ）に示すクーラ側コントローラ２１０は、クーラ側制御手段２１１、クーラ側通信手段２１２及びクーラ側記憶手段２１３を備えている。ここで、図１では、クーラ２００の使用環境等からクーラ側コントローラ２１０をクーラ２００と独立する形で設けているが、クーラ２００に搭載させることもできる。
【００２１】
クーラ側制御手段２１１は、クーラ２００が有している機器（蒸発器用のファン等の冷凍、冷蔵を行うための機器）の制御に係る処理を行い、倉庫等の対象空間（負荷）の冷却を行わせる。本実施の形態では、クーラ側制御手段２１１についても、冷凍機側制御手段１１１と同様に、設定データによって定められた運転条件等に基づいて制御を行うようにする。ここで、クーラ２００に対して設定される運転条件等としては、例えば、冷却運転の開始・停止時刻、霜取（デフロスト）を行う時刻（時間単位又は分単位）等のスケジュールに係る設定がある。
【００２２】
クーラ側通信手段２１２は、伝送線６００を介して冷凍機側コントローラ１１０との間で各種信号の通信を行うためのインターフェースとなる手段である。クーラ側記憶手段２１３は、クーラ側制御手段２１１が処理を行うために必要なデータ、処理結果のデータ等を記憶する。クーラ側記憶手段２１３についても、規定制御条件記憶部２１３Ａ、特殊制御条件記憶部２１３Ｂ及び運転データ記憶部２１３Ｃを有している。
【００２３】
また、リモートコントローラ４００は、操作者が手動操作する場合にクーラ側コントローラ２１０に操作指示を入力するための指示入力手段となる。
【００２４】
図４は集中管理制御装置３００の構成を表す図である。本実施の形態の集中管理制御装置３００は、冷凍、冷蔵等の低温用途に用いる。そして、例えば、集中伝送線５００によって接続された各冷凍機１００、クーラ２００に特殊制御機能設定データを含む信号を送り、１又は複数の制御目的に基づくデータを設定し、各装置を連携させた制御を行うようにする。本実施の形態では、省エネルギを目的して運転条件等の特殊制御機能設定データを作成し、冷凍機１００、クーラ２００に信号を送って制御を行わせるものとする。
【００２５】
例えば、省エネルギを目的とした制御を行うために、例えば、月曜日は対象空間の温度を低くする管理を行う。このときクーラ２００の蒸発器等に霜がつきやすくなるため、例えば冷凍機１００には目標低圧圧力を他の曜日より低い設定にした特殊制御機能設定データを含む信号を送る。また、クーラ２００においては、霜取りの回数を他の曜日よりも多い設定にした特殊制御機能設定データを含む信号を送る。そして、火曜日は、対象空間の温度が月曜日より高くなるように制御して省エネルギをはかるため、冷凍機１００においては目標低圧圧力を月曜日より高い設定にした特殊制御機能設定データを含む信号を送る。このような特殊制御機能設定データを含む信号を例えば所定時間毎（例えば毎日等）に各冷凍機１００（冷凍機側コントローラ１１０）、クーラ２００（クーラ側コントローラ２１０）に送るようにする。
【００２６】
図４に示すように、本実施の形態の集中管理制御装置３００は、それぞれ別筐体で構成した操作表示部３１０と伝送変換部３２０とを有している。そして、操作表示部３１０と伝送変換部３２０とを通信線３３０で接続することで通信を行うことができるようにしている。集中管理制御装置３００を、表示、操作に係る操作表示部３１０と、システムの管理に係る伝送変換部３２０とに分離することにより、表示画面等、操作者とのユーザインターフェースに係るソフトウェア（プログラム）を変更等する場合でも、伝送変換部３２０は継続してシステム管理等の処理を行うことができる。ここで、本実施の形態では、通信線３３０はＬＡＮ（Local Area Network）ケーブル等の汎用的な伝送線であるものとする。このため、場合によっては、操作表示部３１０の代わりに、さらに上位に位置する制御装置との通信接続も可能である。
【００２７】
操作表示部３１０は、タッチパネル３１１、表示器３１２、操作表示通信手段３１３、操作表示制御手段３１４及び操作表示記憶手段３１５を有している。タッチパネル３１１は、表示器３１２における表示画面に対応して操作者が入力した指示に係る信号を操作表示制御手段３１４に送信する指示入力手段となる。表示手段である表示器３１２は、操作表示制御手段３１４からの表示信号に基づく画面を表示する。操作表示通信手段３１３は、操作表示制御手段３１４が、通信線３３０を介して伝送変換部３２０側の管理制御手段３２１とデータを含む信号の通信を行うためのインターフェースとなる。
【００２８】
操作表示制御手段３１４は、タッチパネル３１１、操作表示通信手段３１３が受信した信号に含まれるデータに基づく処理、表示信号を送信して処理に係る画面を表示器３１２に表示させる処理等、操作表示部３１０内の各機器の制御を行う。操作表示記憶手段３１５は、本実施の形態では、表示器３１２に表示させる画面等に関するデータを記憶する。また、例えば操作表示制御手段３１４が行う処理の手順をプログラムとして記憶する。
【００２９】
伝送変換部３２０は、管理制御手段３２１、管理側通信手段３２２、システム側通信手段３２３及び管理記憶手段３２４を有している。管理制御手段３２１は、例えば各冷凍機１００、クーラ２００の運転データに基づいて処理を行い、制御目的（ここでは省エネルギ制御機能）に合わせた指示、運転条件等の特殊制御機能設定データを作成し、データを含む信号を管理側通信手段３２２に送信させる。また、各冷凍機１００、クーラ２００からの信号に含まれる運転データを管理記憶手段３２４に記憶させる。そして、操作表示部３１０からの要求に応じて、管理記憶手段３２４に記憶されたデータを検索し、検索に係るデータを含む信号を管理側通信手段３２２、通信線３３０を介して操作表示部３１０に送る。ここで、管理制御手段３２１は、操作表示部３１０のタッチパネル３１１を介して、利用者が省エネルギ制御機能、快適制御機能等から選択した制御機能に基づく特殊制御機能設定データを作成する。
【００３０】
管理側通信手段３２２は、管理制御手段３２１が、通信線３３０を介して操作表示部３１０側の操作表示制御手段３１４とデータを含む信号の通信を行うためのインターフェースとなる。システム側通信手段３２３は、管理制御手段３２１が、伝送線６００を介して各冷凍機側制御手段１１１、クーラ側制御手段２１１とデータを含む信号の通信を行うためのインターフェースとなる。また、管理記憶手段３２４は、管理制御手段３２１が処理を行うために必要となるデータを記憶する。また、各冷凍機１００、クーラ２００からの信号に含まれる運転データを記憶しておく。
【００３１】
図５は本実施の形態の冷凍機側制御手段１１１及びクーラ側制御手段２１１における制御に係る動作のフローチャートを表す図である。冷凍機側制御手段１１１及びクーラ側制御手段２１１は、通常時においては、管理制御手段３２１が作成した特殊制御機能設定データに基づいて、冷凍、冷蔵を行うための圧縮機等の機器に、運転動作を行わせる制御を行う（Ｓ１）。そして、集中伝送線５００、伝送線６００を介して通信ができているかどうかを判断する（Ｓ２）。通信ができているかどうかの判断については、特に限定するものではないが、例えば冷凍機側コントローラ１１０及びクーラ側コントローラ２１０から送信する運転データを含む信号が集中管理制御装置３００に送信できたか否かにより判断することができる。通信ができているものと判断すると、Ｓ１に戻って、特殊制御機能設定データに基づく処理を続ける。
【００３２】
一方、例えば集中管理制御装置３００の異常、断線等により通信を行うことができず、特殊制御機能設定データに基づく処理ができないと判断すると、規定制御条件記憶部１１３Ａ、２１３Ａが記憶する規定制御機能設定データに基づいて運転動作を行わせる制御を行う（Ｓ３）。また、運転データを運転データ記憶部１１３Ｃ、２１３Ｃに記憶させておく（Ｓ４）。
【００３３】
そして、復旧等により、通信が再開できたかどうか（規定制御機能設定データが得られたかどうか）を判断する（Ｓ５）。通信が再開されたものと判断すると、冷凍機側制御手段１１１及びクーラ側制御手段２１１は、特殊制御機能設定データに基づく処理を行い、機器に対して運転動作を行わせる制御を行う。さらに、運転データ記憶部１１３Ｃ、２１３Ｃに記憶させた運転データを含む信号を、冷凍機側通信手段１１２、クーラ側通信手段２１２から伝送変換部３２０に送信させる（Ｓ６）。
【００３４】
以上のように実施の形態１の冷凍・冷蔵システムにおいては、特殊な設定で運転を行う場合には、集中管理制御装置３００が作成処理し、送信する特殊制御機能設定データにより、システム内の冷凍機１００、クーラ２００の冷凍機側コントローラ１１０、クーラ側コントローラ２１０が各機器の制御処理を行うようにしたので、省エネルギ制御等、目的とする制御に合わせて、システム全体の制御を集中してより最適に行うことができる。また、設置場所の状況、環境に柔軟に対応することができ、エネルギ効率のよい制御等を実現することができる。
【００３５】
そして、例えば通信異常等により集中管理制御装置３００との通信が行えず、特殊制御機能設定データを含む信号が受信できないと判断すると、冷凍機側コントローラ１１０、クーラ側コントローラ２１０は、予め記憶された規定制御機能設定データに基づいて、各装置が独立して制御を行うようにしたので、冷凍機１００、クーラ２００が通信異常等により停止することなく、継続して運転を行うことができる。このため、例えば、供給する能力不足のために、冷却対象の倉庫等内におかれた物品の温度を上昇させて質を低下させてしまうことを防ぐ等、システムの信頼性を高めることができる。
【００３６】
また、集中管理制御装置３００については、表示、操作に係る操作表示部３１０と、システムの管理に係る伝送変換部３２０とに分離して通信線３３０で通信接続して構成するようにしたので、例えば、伝送変換部３２０の動作に影響を及ぼすことなく、表示画面等に係るソフトウェア（プログラム）を変更等することができる。また、通信線３３０はＬＡＮ（Local Area Network）ケーブル等の汎用的な伝送線であるため、容易に通信接続することができる。
【００３７】
実施の形態２．
図６は本発明の実施の形態２に係る操作表示部３１０と伝送変換部３２０との間の状態データに係る通信を説明するための図である。上述した実施の形態１で示したように、集中管理制御装置３００は、操作表示部３１０と伝送変換部３２０とを通信線３３０で接続している。このため、操作表示部３１０が、冷凍機１００、クーラ２００の状態に関する表示を行おうとする場合には、表示に係る冷凍機１００、クーラ２００を指定して要求し、伝送変換部３２０が操作表示部３１０に状態を表すデータ（状態データ）を含む信号を送信する。この状態データには前述した運転データ等も含まれる場合がある。
【００３８】
ここで、操作表示部３１０において、１台の冷凍機１００、クーラ２００における状態を表示する場合には、操作表示部３１０側では、１台分の状態データを含む信号を受信して、その状態データを一時的に記憶しておけばよい。
【００３９】
そこで、本実施の形態では、例えば操作表示部３１０から、１台分の状態データに係る信号の送信要求があると、伝送変換部３２０は、要求に係る冷凍機１００、クーラ２００の状態データを含む信号を、通信線３３０を介して送信する。このとき、操作表示部３１０からの要求する場合には所定の要求フラグを付す。また、伝送変換部３２０からの信号には送信の完了を示す完了フラグを付して送信する。
【００４０】
操作表示部３１０の操作表示記憶手段３１５においては、状態データの項目毎に、一時的なデータの格納（記憶）場所（レジスタ）をあらかじめ定めておく。ここで、項目とは、機器の番号、運転状態、設定温度等である。操作表示制御手段３１４は、表示する項目の状態データを伝送変換部３２０に要求し、伝送変換部３２０は要求された項目に係る状態データを含む信号を送信する。このとき、状態データをレジスタに関連付けて状態データが所定の格納場所に記憶されるようにする。
【００４１】
本実施の形態においては、操作表示記憶手段３１５は、冷凍機１００、クーラ２００毎に状態データを格納する場所を設けておく必要がなく、１台分の状態データを格納できる記憶容量を有していればよい。そして、状態表示する冷凍機１００、クーラ２００が変更すれば、変更に係る状態データに書き換るようにすればよい。このため、記憶容量の節約を行うことができる。また、確保した記憶容量に基づいて表示できる冷凍機１００、クーラ２００の台数が定められることはないため、表示に係る台数制限をなくすことができる。
【００４２】
また、操作表示制御手段３１４は、操作表示記憶手段３１５に格納された状態データ等に基づいて処理を行い、表示器３１２に表示信号を送信する。表示器３１２は表示信号に基づく表示を行う。
【００４３】
ここでは、操作表示制御手段３１４は、要求した項目に係る状態データをすべて表示する処理を行うが、例えば、伝送変換部３２０からの状態データのうち、あらかじめ定められた項目を選択表示させる処理を行うようにしてもよい。本実施の形態では、操作表示記憶手段３１５における状態データの記憶が１台分であり、格納場所と項目とが対応しているため、システムの使用環境、利用者の要求等に合わせて、表示する項目の変更を容易に行うことができる。
【００４４】
実施の形態３．
上述の実施の形態１では、集中管理制御装置３００から特殊制御機能設定データを含む信号を冷凍機側コントローラ１１０とクーラ側コントローラ２１０に送信するようにしたが、これに限定するものではない。例えば、冷凍機２００に係る特殊機能制御データを含む信号を、クーラ側コントローラ２１０が集中管理制御装置３００から受信して、処理等を行ってから、冷凍機側コントローラ１１０に送信するようにしてもよい。
【産業上の利用可能性】
【００４５】
上述の実施の形態における手順等は、対象を冷却させる冷凍・冷蔵システムに適したものであるが、低温用のシステムに限定するものではなく、他の冷凍サイクルを利用したシステムにおいても適用することができる。
【符号の説明】
【００４６】
１００Ａ，１００Ｂ  冷凍機、１１０  冷凍機側コントローラ、１１１  冷凍機側制御手段、１１２  冷凍機側通信手段、１１３  冷凍機側記憶手段、１１３Ａ  規定制御条件記憶部、１１３Ｂ  特殊制御条件記憶部、１１３Ｃ  運転データ記憶部、２００Ａ，２００Ｂ  クーラ、２１０  クーラ側コントローラ、２１１  クーラ側制御手段、２１２  クーラ側通信手段、２１３  クーラ側記憶手段、２１３Ａ  規定制御条件記憶部、２１３Ｂ  特殊制御条件記憶部、２１３Ｃ  運転データ記憶部、３００  集中管理制御装置、３１０  操作表示部、３１１  タッチパネル、３１２  表示器、３１３  操作表示通信手段、３１４  操作表示制御手段、３１５  操作表示記憶手段、３２０  伝送変換部、３２１  管理制御手段、３２２  管理側通信手段、３２３  システム側通信手段、３２４  管理記憶手段、３３０  通信線、４００  リモートコントローラ、５００  集中伝送線、６００  伝送線、７００Ａ，７００Ｂ  冷媒配管。
【図１】
2012007756.tif 000003
【図２】
2012007756.tif 000004
【図３】
2012007756.tif 000005
【図４】
2012007756.tif 000006
【図５】
2012007756.tif 000007
【図６】
2012007756.tif 000008